(57)【特許請求の範囲】
【請求項１】
ケーブルを自装置に接続するためのコネクタ部と、前記コネクタ部に接続された制御マイコンと、前記制御マイコンに接続され前記ケーブルを介して外部装置から伝送される映像信号を表示する表示部と、前記制御マイコンと前記表示部との間に設けられ、前記マイコンが検出した結果を前記表示部に表示するための制御を行なう表示制御部と、を備え、
前記制御マイコンおよび前記表示制御部はＨＤＭＩ（登録商標）規格に準じた処理を実行し、前記コネクタはＨＤＭＩ（登録商標）規格に準じてコネクタピンが配列され、前記コネクタのＨＰＤピンと前記制御マイコンの入力ポートとが第１の抵抗を介して接続され、前記制御マイコンの出力ポートと前記入力ポートとが第２の抵抗を介して接続され、
前記制御マイコンは、前記出力ポートから前記入力ポートへ信号を出力し、前記コネクタ部にケーブルが接続されたときの信号の立上がり時間と前記コネクタ部にケーブルが接続されないときの信号の立上がり時間とを前記入力ポートで計測し、前記入力ポートで計測した結果に応じて前記コネクタ部にケーブルが接続されたか否かを検出し、該検出した結果を前記表示部へ出力し、記表示制御部は、前記コネクタに前記ケーブルが接続されている時のみ入力選択メニューを前記表示部に表示し、前記コネクタにアクティブな機器が接続されている時に入力選択メニュー表示を変化させることを特徴とする電子装置。
【発明の詳細な説明】
【技術分野】
【０００１】
本発明は、特にケーブルとコネクタの接続状態を検知するケーブル接続検出装置と接続状態結果を報知する電子装置に関するものである。
【背景技術】
【０００２】
従来のケーブル接続検出装置として、コネクタにステップ波形信号を出力し、該ステップ波形信号の反射信号に基づいてコネクタへのケーブルの接続の有無を検出するケーブル検出部を備えるものが知られている（例えば特許文献１参照）。
【先行技術文献】
【特許文献】
【０００３】
【特許文献１】特開２０１０−７３０５４号公報
【発明の概要】
【発明が解決しようとする課題】
【０００４】
しかしながら、従来の構成においては、ケーブル接続の有無を検知する装置を持たない構成と比較してケーブル検出部における部品点数が多いという問題があった。
【０００５】
そこで本発明は、部品点数が少ないケーブル接続検出装置および電子装置を提供することを目的とする。
【課題を解決するための手段】
【０００６】
上記目的を達成するために本発明は、ケーブルを自装置に接続するためのコネクタ部と、前記コネクタ部に接続された制御マイコンと、前記制御マイコンに接続され前記ケーブルを介して外部装置から伝送される映像信号を表示する表示部と、前記制御マイコンと前記表示部との間に設けられ、前記マイコンが検出した結果を前記表示部に表示するための制御を行なう表示制御部と、を備え、前記制御マイコンおよび前記表示制御部はＨＤＭＩ（登録商標）規格に準じた処理を実行し、前記コネクタはＨＤＭＩ（登録商標）規格に準じてコネクタピンが配列され、前記コネクタのＨＰＤピンと前記制御マイコンの入力ポートとが第１の抵抗を介して接続され、前記制御マイコンの出力ポートと前記入力ポートとが第２の抵抗を介して接続され、前記制御マイコンは、前記出力ポートから前記入力ポートへ信号を出力し、前記コネクタ部にケーブルが接続されたときの信号の立上がり時間と前記コネクタ部にケーブルが接続されないときの信号の立上がり時間とを前記入力ポートで計測し、前記入力ポートで計測した結果に応じて前記コネクタ部にケーブルが接続されたか否かを検出し、該検出した結果を前記表示部へ出力し、記表示制御部は、前記コネクタに前記ケーブルが接続されている時のみ入力選択メニューを前記表示部に表示し、前記コネクタにアクティブな機器が接続されている時に入力選択メニュー表示を変化させる。
【発明の効果】
【０００７】
本発明によれば、コネクタ接続検出部に配置した抵抗とマイコンポート一つを従来の構成に追加するだけで、ケーブルの接続の有無を検出するという効果を奏する。
【図面の簡単な説明】
【０００８】
【図１】本発明の実施の形態１におけるケーブル接続検出装置のブロック図
【図２】本発明の実施の形態１におけるケーブル接続検出部の回路図
【図３】本発明の実施の形態１におけるケーブル接続検出部の等価回路図
【図４】本発明の実施の形態１におけるＨＤＭＩコネクタのピン割り当て図
【図５】本発明の実施の形態１におけるケーブル接続検出の動作説明のためのフローチャート
【発明を実施するための形態】
【０００９】
（実施の形態１）
以下、本発明の実施の形態１におけるケーブル接続検出装置および電子装置について図面を参照しながら説明する。
【００１０】
ただし、本実施の形態におけるケーブル接続検出装置として、ＨＤＭＩ規格に準拠したシステムで用いられるＨＤＭＩケーブルの接続検出を行なうものを例として以下の説明を行う。
【００１１】
図１は本発明の実施の形態１におけるＨＤＭＩケーブル接続検出装置および電子装置のブロック図である。
【００１２】
図２は同実施の形態におけるＨＤＭＩケーブル接続検出部の回路図であり、図３はケーブル接続検出部の等価回路図である。
【００１３】
図４はＨＤＭＩコネクタのピン割り当て図である。図５はＨＤＭＩケーブル接続検出の動作説明のためのフロー図である。
【００１４】
図１に示すとおり、電子装置１００はコネクタ部としてのＨＤＭＩコネクタ１０１と、接続検出回路１０２及び制御マイコンとしてのＨＤＭＩ制御マイコン１０３から構成されるケーブル接続検出装置としてのＨＤＭＩ接続検出部１０４と、ＨＤＭＩ接続検出部１０４にて検出した結果を表示部に表示するための制御を行なう表示制御部１０５と、ケーブルの一つであるＨＤＭＩケーブル２００によって外部装置から伝送される映像信号を表示する表示部１０６から構成される。
【００１５】
次に図２ないし図４を用いて本実施の形態におけるケーブル接続検出装置としてのＨＤＭＩ接続検出部１０４の詳細を説明する。
【００１６】
図２において、ＨＤＭＩ接続検出部１０４はＨＤＭＩコネクタ１０１とＨＤＭＩ制御マイコン１０３と以下に説明する２つの抵抗器とこれらを接続する信号線とが含まれる。
【００１７】
ＨＤＭＩ接続検出部１０４の内部では、ＨＤＭＩ規格においてＨＰＤの出力抵抗が１ｋΩと規定されているため、ＨＤＭＩ制御マイコン１０３の入力ポートであるポートＡ２０２とＨＤＭＩコネクタ１０１のＨＰＤピン２０１（ＨＰＤ：Hot  Plug  Detect）とは抵抗値が１ｋΩである第１の抵抗２０３を介して接続される。
【００１８】
さらに、ＨＤＭＩ接続検出部１０４は、ＨＤＭＩ制御マイコン１０３の出力ポートであるポートＢ２０４と上記したポートＡ２０２とが第２の抵抗２０５を介して接続される構成となっている。
【００１９】
ただし便宜的に、第１の抵抗２０３を介してＨＰＤピン２０１とポートＡ２０２との間を接続する信号線をＨＰＤ信号線２０６とし、第２の抵抗２０５を介してポートＡ２０２とポートＢ２０４との間を接続する信号線を信号線２０７とし、第１の抵抗２０３と第２の抵抗２０５との接続点を接続部２０８とする。
【００２０】
なお、ポートＢ２０４には、ＨＤＭＩ制御マイコン１０３に配置される任意の出力ポートが用いられる。
以上のように構成された本実施の形態の電子装置１００は、以下の様にケーブル接続の有無を検出する。
【００２１】
すなわち、ＨＤＭＩ制御マイコン１０３が、ＨＤＭＩ制御マイコン１０３の出力ポートであるポートＢ２０４から信号を出力し、この出力信号を同じくＨＤＭＩ制御マイコン１０３の入力ポートであるポートＡ２０２に入力する。
【００２２】
このとき、ＨＤＭＩコネクタ１０１にケーブルが接続されていない場合、この信号の伝達経路には第２の抵抗２０５が存在するのみで容量成分の影響を受けない。
【００２３】
そのため、ポートＢ２０４におけるこの信号の立上り（あるいは立下り）時間（すなわち、測定ポイントをポートＢ２０４として測定した立上がり時間）と、ポートＡ２０２に
おけるこの信号の立上り（あるいは立下り）時間とは同じになる。
【００２４】
一方、ポートＢ２０４からポートＡ２０２へ信号が出力される時点において、ＨＤＭＩコネクタ１０１にＨＤＭＩケーブル２００が接続されている場合、この信号の伝達経路にはＨＤＭＩケーブル２００が接続されることによる容量成分の影響を受ける。
【００２５】
容量成分の影響を受けると、ポートＢ２０４におけるこの信号の立上り（あるいは立下り）時間よりも、ポートＡ２０２におけるこの信号の立上り（あるいは立下り）時間がＨＤＭＩケーブル２００自体がもつ静電容量に応じた分だけ長くなる。
【００２６】
ＨＤＭＩ制御マイコン１０３のポートＡ２０２で計測する信号の立ち上がり時間は、ケーブル自身の静電容量と抵抗２０５の抵抗値の積に比例する。
【００２７】
例えば、ポートＢ２０４から出力される信号のパルスの立ち上がり時間が４ｎｓ程度であり、長さ４５ｃｍのケーブル（静電容量：１６０ｐＦ）をＨＤＭＩコネクタ１０１に接続した場合、第２の抵抗２０５として１００ｋΩの抵抗値を用いると、ポートＡ２０２にて計測される信号の立ち上がり時間は２２μｓ程度となる。
【００２８】
すなわち、数ｎｓ程度の違いを検出できるほどＨＤＭＩ制御マイコン１０３のクロック周波数が高ければ十分立ち上がり時間の遅延（すなわちケーブルが接続されているか否か）をＨＤＭＩ制御マイコン１０３自体が検出することができる。
【００２９】
なお、ＨＤＭＩコネクタ１０１に接続するケーブルの長さに応じてパルス信号の立ち上がり時間が検出できればよいので、パルス信号の立ち上がり時間は４ｎｓに限定されない。
【００３０】
また、第２の抵抗２０５は立ち上がり時間や、環境や部品によるバラつきを考慮して十分大きな抵抗値にすればよい。
【００３１】
以上を加味し、ＨＤＭＩコネクタ１０１にＨＤＭＩケーブル２００が接続されているか否かの検出あるいは判定は、パルス信号の立上がり時間に対して閾値を設定し閾値に対する大小を検出あるいは判定することで可能になる。
【００３２】
上述したとおり、ＨＤＭＩコネクタ１０１にＨＤＭＩケーブル２００が接続されている場合の信号の立上がり時間と接続されていない場合の信号の立上がり時間とには大きな差が生じるため、確実にケーブルの接続有無を検出することができる。
【００３３】
また、一般化された回路構成で表すと図３に示すようになる。図３は、上述のＨＤＭＩ接続検出部１０４の等価回路図である。
【００３４】
図３に示す接続検出部の接続検出部等価回路３００における抵抗３０１、３０２はそれぞれ図２の抵抗２０３、２０５に相当する。
【００３５】
表示制御部１０５に配置されるポートＣ２０９とＨＤＭＩコネクタ１０１に配置される＋５Ｖ＿Ｐｏｗｅｒピン２１０（図４における１８ピン）は５Ｖ電源線２１１で接続されている。
【００３６】
以上のように構成されたケーブル接続検出装置について、以下にその処理動作を説明する。
【００３７】
図１におけるＨＤＭＩ接続検出部１０４でＨＤＭＩケーブルの接続が確認された場合、表示制御部１０５へ接続有りの情報を伝送する。表示制御部１０５は外部装置からの入力（外部入力）としてＨＤＭＩ入力選択メニューを表示部に出力する。
【００３８】
一方、ＨＤＭＩ接続検出部１０４でＨＤＭＩケーブルの接続が確認されない場合、表示制御部１０５への情報伝送を行わず、表示制御部１０５はＨＤＭＩ制御マイコン１０３から接続情報がない限り表示部１０６へは外部入力としてＨＤＭＩ入力選択メニューを出力しない。
【００３９】
従って、ユーザーはＨＤＭＩケーブルの接続が有る時のみ表示部１０６でＨＤＭＩ入力選択メニューを確認することができる。
【００４０】
図２においてアクティブ状態の機器がＨＤＭＩケーブル２００を介してＨＤＭＩコネクタ１０１に接続されると、５Ｖ電源線２１１を介して表示制御部１０５に配置されるポートＣ２０９で＋５Ｖ  Ｐｏｗｅｒ信号が検出される（ステップＳ１０）。
【００４１】
＋５Ｖ＿Ｐｏｗｅｒ信号が検出された情報は表示制御部１０５からＨＤＭＩ制御マイコン１０３に伝送され、ＨＤＭＩ接続検出部１０４で接続を検出する（ステップＳ１５)。
【００４２】
表示制御部１０５が＋５Ｖ＿Ｐｏｗｅｒ信号を検出し、受信側が映像・音声制御信号を受信できる状態になった後、その情報を接続されているアクティブな機器にＨＰＤピン２０１を介してＨＰＤ信号を通知する。
【００４３】
そのために、ポートＡ２０２を出力、ポートＢ２０４を入力に設定する（ステップＳ１６）。
【００４４】
ＨＤＭＩ接続検出部１０４でケーブルの接続を確認すると、表示制御部へ接続有りの情報を伝送する。
【００４５】
表示制御部がＨＤＭＩ入力選択メニューを表示部に出力することで、ユーザーはＨＤＭＩケーブルの接続を表示部で確認することができる。
【００４６】
なお、アクティブな機器の接続が検出された時には、表示部に表示しているＨＤＭＩ入力選択メニュー表示を変化させてもよい。
【００４７】
それによってユーザーは表示部で接続されている機器がアクティブか非アクティブかを確認することも可能である。
【００４８】
表示制御部１０５で＋５Ｖ＿Ｐｏｗｅｒ信号が検出されない場合、まずポートＡ２０２を入力、ポートＢ２０４を出力に設定する（ステップＳ１１）。
【００４９】
次に、ポートＢ２０４からパルス信号を出力する（ステップＳ１２）。コネクタにケーブルが接続されている場合、ＨＤＭＩケーブル自身が静電容量を持つため、ＨＤＭＩ接続検出部１０４で積分回路が構成される。
【００５０】
そのために上記積分回路によって、ポートＡ２０２に入力される信号の立ち上がり時間に遅れが生じる。
【００５１】
一方、コネクタにケーブルが接続されていない場合、立ち上がり時間に変化はない。従ってポートＡに入力される信号を観測し（ステップＳ１３）、信号の立ち上がり時間の変
化を検出することでケーブルの接続の有無を判断する事が可能となる（ステップＳ１４）。
【００５２】
接続を検出した場合（ステップＳ１５）、ポートＡ２０２を出力、ポートＢ２０４を入力に設定する（ステップＳ１６）。Ｓ１５で接続を検出しない場合、Ｓ１０からのループを繰り返す。
【００５３】
なお、接続検出部でケーブルの接続が確認された場合、表示制御部へ接続有りの情報を伝送する。
【００５４】
表示制御部はＨＤＭＩ入力選択メニューを表示部に出力する。一方、接続検出部でケーブルの接続が確認されない場合、表示制御部への情報伝送を行わず、表示制御部はＨＤＭＩ制御マイコンから接続情報がない限り表示部へはＨＤＭＩ入力選択メニューを出力しない。
【００５５】
なお、コネクタ接続検出においてＨＰＤ信号線に接続されるＨＰＤピン２０１及びマイコンポートＡ２０２を用いたが、他の例として、Ｕｔｉｌｉｔｙ信号線に接続されるＵｔｉｌｉｔｙ信号ピン及びマイコンポートを用いてもよく、ケーブルの接続によって積分回路が構成される構成であり、ケーブル接続検出後のポートの用途に応じてポートの入出力の切りかえが可能であれば同様の効果が得られる。
【００５６】
以上説明したとおり、本発明のケーブル接続検出装置は、既存の回路の任意の入出力ポート一つと、抵抗一つを追加するだけで構成できるため、既存の製品に容易に適用できる。
【００５７】
また、接続状態を表示部で確認することができるため、ＨＤＭＩコネクタを備える製品、例えば車載リアシートエンターテイメントシステム等の画像表示製品に適用できる。
さらに、例えば製造時の組み付けラインで確実にケーブルの接続の有無を確認することもできる。
【産業上の利用可能性】
【００５８】
本発明のケーブル接続検出装置および電子装置は、ケーブルとコネクタの接続状態を検知するケーブル接続検出装置と接続状態結果を報知する電子装置として有用である。
【符号の説明】
【００５９】
１００  電子装置
１０１  ＨＤＭＩコネクタ
１０２  接続検出回路
１０３  ＨＤＭＩ制御マイコン
１０４  ＨＤＭＩ接続検出部
１０５  表示制御部
１０６  表示部
２００  ＨＤＭＩケーブル
２０１  ＨＰＤピン
２０２  ポートＡ
２０４  ポートＢ
２０３、２０５  抵抗
２０６  ＨＰＤ信号線
２０７  信号線
２０８  接続部
２０９  ポートＣ
２１０  ＋５Ｖ＿Ｐｏｗｅｒピン
２１１  ５Ｖ電源線
３００  接続検出部等価回路
３０１、３０２  抵抗
【図１】
0005828125.tif 000002
【図２】
0005828125.tif 000003
【図３】
0005828125.tif 000004
【図４】
0005828125.tif 000005
【図５】
0005828125.tif 000006